(57)【要約】【課題】吹き抜け空間を効率よく冷房することができる建物の空調システムを提供する。【解決手段】建物１０において、建物本体１２内には屋根部１３まで延びる屋内高さで吹き抜け空間１８が設けられている。屋根部１３には、吹き抜け空間１８を屋外と連通させる開口部２６と、開口部２６を開閉するトップライト２７とが設けられ、屋根吹き抜け部１８ｂには、シーリングファン２９が設けられている。建物１０には、屋根吹き抜け部１８ｂと建物本体吹き抜け部１８ａとの間の空気の流通を遮断するエアカーテン装置４０が設けられている。空調装置３１，３６による冷房運転状態において、エアカーテン装置４０による遮断を行うよう制御し、同装置４０による遮断状態において、開口部２６を開放するようトップライト２７を制御するとともに、その開放した開口部２６へ向かう空気の流れを屋根吹き抜け部１８ｂにて生じさせるようシーリングファン２９を制御する。【選択図】      図１
2012247101.tif 000002
【特許請求の範囲】
【請求項１】
建物本体とその上方に設けられた屋根部とを備えるとともに、前記建物本体内には前記屋根部まで延びる屋内高さで吹き抜け空間が設けられている建物に適用され、
前記建物本体において前記吹き抜け空間を含む屋内空間の空調を行う空調装置と、
前記屋根部において前記吹き抜け空間を屋外と連通させる開口部に設けられ、その開口部を開閉する開閉手段と、
前記吹き抜け空間において前記屋根部の下面側に設けられ、前記吹き抜け空間において前記開口部に向かう空気の流れを生じさせる気流発生手段と、
前記吹き抜け空間において前記屋根部の直下であって前記気流発生手段を含む空間部である上側空間部と、その下方であって前記空調装置から空調空気が吹き出される空間部である下側空間部との間で空気が流通するのを遮断する遮断手段と、
前記空調装置により冷房空調が実施されている冷房空調状態において、前記上側空間部と前記下側空間部との間の空気の流通を遮断するよう前記遮断手段を制御する遮断制御手段と、
前記遮断制御手段により前記遮断手段が遮断状態とされている場合に、前記開口部を開放するよう前記開閉手段を制御するとともに、その開放した開口部へ向かう空気の流れを前記上側空間部にて生じさせるよう前記気流発生手段を制御する気流制御手段と、
を備えることを特徴とする建物の空調システム。
【請求項２】
前記遮断手段は、前記下側空間部と前記上側空間部との境界部にエア吹出口から吹出エアを吹き出してエアカーテンを形成するエアカーテン形成手段であることを特徴とする請求項１に記載の建物の空調システム。
【請求項３】
前記エア吹出口から吹き出された吹出エアの少なくとも一部を前記上側空間部に導く導き手段を備えることを特徴とする請求項２に記載の建物の空調システム。
【請求項４】
前記エアカーテン形成手段は、前記建物内において前記上側空間部以外の屋内空間から取り込んだ空気を前記エア吹出口から吹出エアとして吹き出してエアカーテンを形成するものであり、
前記導き手段は、前記吹出エアを前記上側空間部に導く第１状態と、前記吹出エアを前記上側空間部に導かずに前記上側空間部以外の屋内空間に戻す第２状態とに切替可能であり、
前記上側空間部以外の屋内空間の温度を検出する屋内温検出手段と、
前記屋内温検出手段による検出温度に基づいて、前記導き手段による第１状態と第２状態との切替を実施する切替制御手段と、
を備えることを特徴とする請求項３に記載の建物の空調システム。
【請求項５】
前記切替制御手段は、前記屋内温検出手段による検出温度と前記空調装置の冷房設定温度とを比較しその比較結果に基づいて、前記導き手段による第１状態と第２状態との切替を実施することを特徴とする請求項４に記載の建物の空調システム。
【請求項６】
前記切替制御手段は、前記屋内温検出手段による検出温度が前記空調装置の冷房設定温度よりも高い状態が所定時間以上継続した場合に、前記導き手段による第１状態への切替を実施することを特徴とする請求項５に記載の建物の空調システム。
【請求項７】
前記建物本体は、上下に隣接する下階部と上階部とを有しており、
前記吹き抜け空間は、前記下階部と前記上階部とに跨って形成されており、
前記下階部における空間部を空調対象として空調を行う下階空調装置と、前記上階部における空間部を空調対象として空調を行う上階空調装置とを備え、それら各階の空調装置はそれぞれ前記吹き抜け空間の空調を行う前記空調装置を構成しており、
前記遮断手段としての第１遮断手段に加え、前記吹き抜け空間において前記下階部の部分と前記上階部の部分との間で空気が流通するのを遮断する第２遮断手段を備え、
さらに、前記上階部の外壁に形成され屋内外を連通する上階窓部を開閉する窓開閉手段と、
前記窓開閉手段を開閉駆動する窓駆動手段と、
を備え、
前記下階空調装置により冷房が行われ、かつ前記上階空調装置により冷房が行われていない場合には、前記遮断制御手段は、前記第１遮断手段による空気流通の遮断を実施せず、前記第２遮断手段による空気流通の遮断を実施するよう制御し、前記気流発生手段は、前記開口部を開放し且つその開放した開口部へ向かう空気の流れを前記吹き抜け空間において生じさせるよう前記開閉手段及び前記気流発生手段を制御するとともに、前記上階窓部を開放させるよう前記窓駆動手段を制御することを特徴とする請求項１乃至６のいずれか一項に記載の建物の空調システム。
【請求項８】
前記空調装置により暖房空調が行われている暖房空調状態において、前記遮断制御手段は、前記遮断手段による空気流通の遮断を実施する一方、前記気流制御手段は、前記開口部を閉鎖するよう前記開閉手段を制御するとともに、前記気流発生手段の作動を停止するよう制御する建物の空調システムであり、
前記気流発生手段は、前記吹き抜け空間において前記上側空間部から前記下側空間部へ向かう空気の流れを発生させることが可能であり、
前記下側空間部の温度と前記上側空間部の温度とをそれぞれ検出する温度検出手段を備え、
前記空調装置による暖房空調状態において、前記上側空間部の温度が前記下側空間部の温度よりも高い場合には、前記遮断制御手段は、前記遮断手段による遮断を行わないよう制御し、前記気流制御手段は、前記上側空間部から前記下側空間部に向かう空気の流れを生じさせるよう前記気流発生手段を制御することを特徴とする請求項１乃至７のいずれか一項に記載の建物の空調システム。
【発明の詳細な説明】
【技術分野】
【０００１】
本発明は、建物の空調システムに関する。
【背景技術】
【０００２】
住宅等の建物では、建物本体とその上方に設けられる屋根部とに跨って吹き抜け空間が形成されている場合がある（例えば、特許文献１参照）。このような吹き抜け空間では開放感あふれる大空間を演出することができる。
【０００３】
このような吹き抜け空間を有する建物では、屋根部に開閉式のトップライトを設置するとともに、吹き抜け空間における屋根部の部分にシーリングファンを設置する場合がある。この場合、トップライトを開いてシーリングファンを駆動させることにより、吹き抜け空間に上向きの流れを生じさせ、これにより吹き抜け空間の換気を行うことが可能となる。
【先行技術文献】
【特許文献】
【０００４】
【特許文献１】特開平１１−３４３６６４号公報
【発明の概要】
【発明が解決しようとする課題】
【０００５】
ここで、上述の吹き抜け空間を空調装置により冷房する場合には、そもそも冷房する必要のない吹き抜け空間における屋根部の部分も含めて屋内空気が冷却される。しかしながら、これは、冷房効率の面からすると好ましくないといえる。また、夏場には、かかる吹き抜け空間の屋根部部分に熱がこもることが想定され、その場合その熱により吹き抜け空間を効率よく冷房することが困難になるおそれがある。
【０００６】
そこで、空調装置による冷房時において、トップライトを開いてシーリングファンを駆動させることにより、吹き抜け空間における屋根部部分にこもった熱をトップライトから排出することも考えられる。しかしながらその場合、吹き抜け空間における建物本体の部分の冷気が屋根部部分に引き込まれ、屋根部部分にこもった熱とともに屋外に排出されるおそれがあり、かえって冷房効率を悪化させる可能性がある。
【０００７】
本発明は、上記事情に鑑みてなされたものであり、吹き抜け空間を効率よく冷房することができる建物の空調システムを提供することを主たる目的とするものである。
【課題を解決するための手段】
【０００８】
上記課題を解決すべく、第１の発明の建物の空調システムは、建物本体とその上方に設けられた屋根部とを備えるとともに、前記建物本体内には前記屋根部まで延びる屋内高さで吹き抜け空間が設けられている建物に適用され、前記建物本体において前記吹き抜け空間を含む屋内空間の空調を行う空調装置と、前記屋根部において前記吹き抜け空間を屋外と連通させる開口部に設けられ、その開口部を開閉する開閉手段と、前記吹き抜け空間において前記屋根部の下面側に設けられ、前記吹き抜け空間において前記開口部に向かう空気の流れを生じさせる気流発生手段と、前記吹き抜け空間において前記屋根部の直下であって前記気流発生手段を含む空間部である上側空間部と、その下方であって前記空調装置から空調空気が吹き出される空間部である下側空間部との間で空気が流通するのを遮断する遮断手段と、前記空調装置により冷房空調が実施されている冷房空調状態において、前記上側空間部と前記下側空間部との間の空気の流通を遮断するよう前記遮断手段を制御する遮断制御手段と、前記遮断制御手段により前記遮断手段が遮断状態とされている場合に、前記開口部を開放するよう前記開閉手段を制御するとともに、その開放した開口部へ向かう空気の流れを前記上側空間部にて生じさせるよう前記気流発生手段を制御する気流制御手段と、を備えることを特徴とする。
【０００９】
本発明によれば、空調装置により吹き抜け空間の冷房空調が行われている場合において、下側空間部と上側空間部との間における空気の流通が遮断手段により遮断される。これにより、吹き抜け空間において本来冷房したい下側空間部のみを対象とした冷房が可能となるとともに、上側空間部にこもった熱が下側空間部に流れ込むのを抑制できる。また、かかる吹き抜け空間の遮断状態において、開閉手段が開状態とされることにより開口部が開放され、その開放された開口部に向けた空気の流れが気流発生手段により上側空間部において生成されるため、下側空間部の空気（冷気）が上側空間部に引き込まれるのを抑制しつつ、上側空間部の熱を開口部より排出できる。そのため、上側空間部にこもる熱により下側空間部の冷房効率が悪化することを抑制できる。よって、この場合、下側空間部について効率よく冷房することができる。
【００１０】
第２の発明の建物の空調システムは、第１の発明において、前記遮断手段は、前記下側空間部と前記上側空間部との境界部にエア吹出口から吹出エアを吹き出してエアカーテンを形成するエアカーテン形成手段であることを特徴とする。
【００１１】
本発明によれば、吹き抜け空間において、下側空間部と上側空間部との境界部にエア吹出口から吹出エアが吹き出してエアカーテンが形成されることにより、下側空間部と上側空間部との間の空気の流通が遮断される。この場合、下側空間部と上側空間部とを仕切部材等により仕切ることでそれら両空間部の間の通気を遮断する構成とは異なり、吹き抜け空間における開放感を確保しつつ上記第１の発明の効果を得ることができる。また、上側空間部上方の屋根にトップライト等の採光部が設けられている構成にあっては、吹き抜け空間への採光性を確保しつつ第１の発明の効果を得ることができる。
【００１２】
第３の発明の建物の空調システムは、第２の発明において、前記エア吹出口から吹き出された吹出エアの少なくとも一部を前記上側空間部に導く導き手段を備えることを特徴とする。
【００１３】
本発明によれば、導き手段によって上側空間部に吹出エアが導入されることにより上側空間部の圧力が上昇し、その圧力上昇により上側空間部内の空気について屋外への排出が促される。この場合、空調空気が吹き出される下側空間部内の冷気の逃げ出しを抑制しつつも、上側空間部内のこもり熱を早期に排出できる。
【００１４】
第４の発明の建物の空調システムは、第３の発明において、前記エアカーテン形成手段は、前記建物内において前記上側空間部以外の屋内空間から取り込んだ空気を前記エア吹出口から吹出エアとして吹き出してエアカーテンを形成するものであり、前記導き手段は、前記吹出エアを前記上側空間部に導く第１状態と、前記吹出エアを前記上側空間部に導かずに前記上側空間部以外の屋内空間に戻す第２状態とに切替可能であり、前記上側空間部以外の屋内空間の温度を検出する屋内温検出手段と、前記屋内温検出手段による検出温度に基づいて、前記導き手段による第１状態と第２状態との切替を実施する切替制御手段と、を備えることを特徴とする。
【００１５】
本発明によれば、導き手段による第１状態では、上記のとおり、上側空間部に吹出エアが導かれ、これにより同空間部内の空気の排出、ひいては同空間部内のこもり熱の排出が促される。それに対して、第２状態では、建物内において上側空間部以外の屋内空間、すなわち空調装置からの空調空気により空調がなされている空間（以下、空調実施空間という）において、同空間内での空気の循環が促され、空調実施空間で効率よく空調を実施できる。このとき、吹出エアが上側空間部内に導かれないことは、冷房中の空気が上側空間部に漏れ出ることを抑制する上で有効である。
【００１６】
また、本発明では、上記の第１／第２状態の切替を、空調実施空間の温度、例えば空調実施空間が十分に冷えているか否かに基づいて行うことができる。したがって、空調実施空間が十分に冷えていて上側空間部に冷気を漏らしたくない場合には第２状態としたり、空調実施空間が十分に冷えておらず空調実施空間の空気を上側空間部に導いても差し支えない場合には第１状態としたりする等、空調実施空間の冷え具合に応じた切り替えをすることができる。これにより、上側空間部のこもり熱の排出の促進を好適に行うことができる。
【００１７】
第５の発明の建物の空調システムは、第４の発明において、前記切替制御手段は、前記屋内温検出手段による検出温度と前記空調装置の冷房設定温度とを比較しその比較結果に基づいて、前記導き手段による第１状態と第２状態との切替を実施することを特徴とする。
【００１８】
本発明によれば、空調実施空間の温度と空調装置の設定温度とが高低比較され、その比較結果に基づいて第１状態／第２状態の切替が行われる。例えば、空調実施空間の温度が空調装置の冷房設定温度よりも高いか否かに基づいてかかる切替を行うことが考えられる。具体的には、空調実施空間の温度が空調装置の冷房設定温度よりも高い場合、すなわち空調実施空間が目標温度まで下がり切っていない場合には第１状態とする。この場合、空調実施空間内の熱を含んだ空気が上側空間部に導かれるため、空調実施空間の冷房効率を高めることができる。また、空調実施空間の温度が空調装置の冷房設定温度以下である場合、すなわち空調実施空間が目標温度まで下がっている場合には第２状態とする。この場合、空調実施空間の冷気が上側空間部に漏れ出るのを防止できるため、冷房効率の低下を回避できる。よって、この場合、冷房効率の観点からすると好ましい構成といえる。
【００１９】
第６の発明の建物の空調システムは、第５の発明において、前記切替制御手段は、前記屋内温検出手段による検出温度が前記空調装置の冷房設定温度よりも高い状態が所定時間以上継続した場合に、前記導き手段による第１状態への切替を実施することを特徴とする。
【００２０】
ところで、空調実施空間において例えば天井付近に熱がこもった場合には、空調装置により冷房を行っても同空間がなかなか冷えないことが想定される。そこで、本発明では、空調実施空間の温度が空調装置の冷房設定温度よりも高い状態が所定時間以上継続した場合に第１状態に切り替えることとしている。これにより、空調実施空間の例えば天井付近に熱こもりが生じた場合にはその熱を上側空間部（ひいては屋外）に排出できるため、好適な冷房が可能となる。
【００２１】
第７の発明の建物の空調システムは、第１乃至第６のいずれかの発明において、前記建物本体は、上下に隣接する下階部と上階部とを有しており、前記吹き抜け空間は、前記下階部と前記上階部とに跨って形成されており、前記下階部における空間部を空調対象として空調を行う下階空調装置と、前記上階部における空間部を空調対象として空調を行う上階空調装置とを備え、それら各階の空調装置はそれぞれ前記吹き抜け空間の空調を行う前記空調装置を構成しており、前記遮断手段としての第１遮断手段に加え、前記吹き抜け空間において前記下階部の部分と前記上階部の部分との間で空気が流通するのを遮断する第２遮断手段を備え、さらに、前記上階部の外壁に形成され屋内外を連通する上階窓部を開閉する窓開閉手段と、前記窓開閉手段を開閉駆動する窓駆動手段と、を備え、前記下階空調装置により冷房が行われ、かつ前記上階空調装置により冷房が行われていない場合には、前記遮断制御手段は、前記第１遮断手段による空気流通の遮断を実施せず、前記第２遮断手段による空気流通の遮断を実施するよう制御し、前記気流発生手段は、前記開口部を開放し且つその開放した開口部へ向かう空気の流れを前記吹き抜け空間において生じさせるよう前記開閉手段及び前記気流発生手段を制御するとともに、前記上階窓部を開放させるよう前記窓駆動手段を制御することを特徴とする。
【００２２】
建物本体が上階部と下階部とを有してなる多層階の建物では、建物本体において上下階に跨って吹き抜け空間が形成されている場合がある。また、このような建物では、上階部及び下階部にそれぞれ設置された共通の空調装置により、各階部の複数の空間部を一括して空調する空調システム（例えば全館空調システムなど）が導入されている場合があり、その場合吹き抜け空間（詳しくは下側空間部）はこれら各空調装置によって冷房されることとなる。ところで、このような吹き抜け空間において本来冷房したいのは下階部側のみであり上階部側については冷房する必要がないと考えられる。また、かかる吹き抜け構造では、熱が上側空間部のみならず、下側空間部の上階側にもこもることが想定される。この場合、この上階側にこもった熱により冷房効率が低下することが懸念される。
【００２３】
そこで、本発明では、この点に着目し、下階部の空調装置のみにより（換言すると下階部においてのみ）冷房が行われている場合には吹き抜け空間において下階部分と上階部分との間における空気の流通を第２遮断手段により遮断する構成としている。これにより、吹き抜け空間において本来冷房したい下階部側のみを対象とした冷房を実施できるとともに、吹き抜け空間の上階部側に熱がこもった場合でもその熱が下階部側に流れ込むのを抑制できる。
【００２４】
また、この場合、上階部用の空調装置が作動していないことに着目し、さらに第１遮断手段による遮断を解除して下側空間部と上側空間部との間の通気を可能とするとともに、開口部及び上階窓部を開放することとしている。これにより、上階窓部を吸気口、開口部を排気口とした通気が建物内において行われる。具体的には、上階窓部から取り込まれた屋外の空気が上階部を通って吹き抜け空間（下側空間部）の上階部分に流れ込み、その後上側空間部を通じて開口部から排出される。これにより、吹き抜け空間の上階部分にこもった熱を屋外に好適に排出できるため、吹き抜け空間が上階部と下階部とに跨って形成されている構成において、同吹き抜け空間を効率よく冷房することができる。
【００２５】
第８の発明の建物の空調システムは、第１乃至第７のいずれかの発明において、前記空調装置により暖房空調が行われている暖房空調状態において、前記遮断制御手段は、前記遮断手段による空気流通の遮断を実施する一方、前記気流制御手段は、前記開口部を閉鎖するよう前記開閉手段を制御するとともに、前記気流発生手段の作動を停止するよう制御する建物の空調システムであり、前記気流発生手段は、前記吹き抜け空間において前記上側空間部から前記下側空間部へ向かう空気の流れを発生させることが可能であり、前記下側空間部の温度と前記上側空間部の温度とをそれぞれ検出する温度検出手段を備え、前記空調装置による暖房空調状態において、前記上側空間部の温度が前記下側空間部の温度よりも高い場合には、前記遮断制御手段は、前記遮断手段による遮断を行わないよう制御し、前記気流制御手段は、前記上側空間部から前記下側空間部に向かう空気の流れを生じさせるよう前記気流発生手段を制御することを特徴とする。
【００２６】
本発明の空調システムでは、空調装置により吹き抜け空間の暖房空調が行われている場合において、下側空間部と上側空間部との間における空気の流通が遮断手段により遮断される。この場合、吹き抜け空間において空調装置により暖められた下側空間部の空気（暖気）が上側空間部に流れ込むのを抑制できる。そのため、下側空間部を効率よく暖房することができる。また、かかる暖房空調状態では、開閉手段により開口部が閉鎖されるとともに気流発生手段が停止されるため、上側空間部にこもる熱を同空間部において保持させることができる。そのため、かかる熱による下側空間部の暖房効果の向上が期待できる。
【００２７】
そして、本発明では、上記の構成において、上側空間部の温度が下側空間部の温度よりも高い場合には、吹き抜け空間において遮断手段による遮断を解除し、気流発生手段により上側空間部から下側空間部へ向かう空気の流れを吹き抜け空間において発生させることとしている。これにより、日射熱等により上側空間部に熱がたまった場合には、その熱を下側空間部の方に引き込んで同空間部を暖めるために利用することができる。よって、この場合暖房効率の向上を図ることができる。
【図面の簡単な説明】
【００２８】
【図１】第１の実施形態における建物全体を示す概略図。
【図２】建物本体吹き抜け部と屋根吹き抜け部との境界部を示す平面略図。
【図３】エアカーテン吸込グリルの構成を示し、（ａ）が同構成を示す正面図、（ｂ）が断面図。
【図４】吸込口の一部開放状態における作用を説明するための説明図。
【図５】空調システムの電気的構成を示す図。
【図６】空調制御処理を示すフローチャート。
【図７】冷房時処理を示すフローチャート。
【図８】暖房時処理を示すフローチャート。
【図９】第２の実施形態における建物全体を示す概略図。
【図１０】空調システムの電気的構成を示す図。
【図１１】冷房時処理を示すフローチャート。
【発明を実施するための形態】
【００２９】
〔第１の実施形態〕
以下に、本発明を具体化した一実施の形態について図面を参照しつつ説明する。なお、図１は本実施形態における建物全体を示す概略図である。
【００３０】
図１に示すように、本実施形態の建物１０は、基礎１１上に設けられた建物本体１２と、建物本体１２の上方に設けられた傾斜屋根よりなる屋根部１３とを備える。建物本体１２は、下階部としての一階部分１４と、上階部としての二階部分１５とを有してなる二階建ての建物となっている。一階部分１４と二階部分１５との間の境界部は階間部分１７となっており、一階天井面と二階床面とを含むそれらの間にある各部材によって構成されている。
【００３１】
建物１０には、建物本体１２と屋根部１３とに跨って上下に延びる吹き抜け空間１８が形成されている。吹き抜け空間１８は、例えばリビングとして用いられている。吹き抜け空間１８は、建物本体１２側の空間を構成する建物本体吹き抜け部１８ａと、屋根部１３側の空間を構成する屋根吹き抜け部１８ｂとからなる。建物本体吹き抜け部１８ａは、一階部分１４と二階部分１５とに跨って形成されている。具体的には、建物本体１２では階間部分１７の一部が取り除かれることにより吹き抜け開口部１９が形成されており、建物本体吹き抜け部１８ａはその吹き抜け開口部１９を介して一階部分１４と二階部分１５とを上下に連通する空間となっている。なお、図示は省略するが、建物１０には、上記吹き抜け空間１８以外にも、一階部分１４と二階部分１５とにそれぞれ複数の部屋が設けられている。
【００３２】
また、建物１０の外周部には、一階部分１４と二階部分１５とにそれぞれ窓部２１，２３が設けられている。窓部２１，２３は、屋内外を連通する窓開口であり、それら各窓部２１，２３にはそれぞれガラス戸２２，２４が設けられている。これら各ガラス戸２２，２４により各々の窓部２１，２３が開閉される。
【００３３】
屋根部１３には、屋根吹き抜け部１８ｂを屋外と連通する開口部２６が形成されている。開口部２６には、開閉手段としてのトップライト２７が設けられており、このトップライト２７により開口部２６が開閉される構成となっている。また、屋根部１３には、開閉駆動手段としてのトップライト駆動部２８が設けられている。トップライト駆動部２８は、トップライト２７を開閉駆動するものであり、例えば電動モータ等の電動式の駆動機構からなる。
【００３４】
屋根吹き抜け部１８ｂには、気流発生手段としてのシーリングファン２９が設けられている。シーリングファン２９は、正逆いずれの方向にも回転可能とされており、吹き抜け空間１８において上向きの気流及び下向きの気流のいずれかを選択的に生じさせることができる。例えば、トップライト２７を開いて開口部２６を開放させた状態で、シーリングファン２９により上向きの気流を生じさせれば、吹き抜け空間１８の空気を開口部２６より屋外に排出でき同空間１８の換気を行える。
【００３５】
建物本体１２の階間部分１７には一階用の空調装置３１が設置されている。空調装置３１は、少なくとも冷房及び暖房機能を有する室内機として構成され、この空調装置３１により一階部分１４の各部屋における冷暖房が行われる。具体的には、空調装置３１には複数の通気ダクト３２が接続されており、それら各通気ダクト３２が一階部分１４の各部屋の天井面に設けられた吹出グリル３３に接続されている。なお、図１では便宜上、一の通気ダクト３２及び一の吹出グリル３３のみを図示している。この場合、空調装置３１より空調空気（冷気又は暖気）が各通気ダクト３２を介して各吹出グリル３３に供給され、各々の吹出グリル３３より一階部分１４の各部屋に吹き出される。また、図示は省略するが、吹出グリル３３は、一階部分１４の天井面における吹き抜け空間１８の周縁部にも設置されており、同吹出グリル３３より吹き出される空調空気により吹き抜け空間１８の冷暖房が行われるようになっている。
【００３６】
また、二階部分１５の天井裏スペースには二階用の空調装置３６が設置されている。空調装置３６は、上述した一階用の空調装置３１と同様に、少なくとも冷房及び暖房機能を有する室内機として構成され、この空調装置３６により二階部分１５の各部屋における冷暖房が行われる。具体的には、空調装置３６には複数の通気ダクト３７が接続されており、それら各通気ダクト３７が二階部分１５の各部屋の天井面に設けられた吹出グリル３８に接続されている。なお、図１では便宜上、一の通気ダクト３７及び一の吹出グリル３８のみを図示している。この場合、空調装置３６より空調空気（冷気又は暖気）が各通気ダクト３７を介して各吹出グリル３８に供給され、各々の吹出グリル３８より二階部分１５の各部屋に吹き出される。また、図示は省略するが、吹出グリル３８は、二階部分１５の天井面における吹き抜け空間１８の周縁部にも設置されており、同吹出グリル３８より吹き出される空調空気により吹き抜け空間１８の冷暖房が行われるようになっている。
【００３７】
建物１０には、エアカーテン形成手段としてのエアカーテン装置４０が設けられている。エアカーテン装置４０は、吹き抜け空間１８において建物本体吹き抜け部１８ａと屋根吹き抜け部１８ｂとの境界部に沿ってエアカーテンを形成する装置であり、上記境界部において吹き抜け空間１８を横切るように水平方向にエアカーテンを形成する。エアカーテン装置４０によりエアカーテンが形成されることにより、各吹き抜け部１８ａ，１８ｂの間の空気の流通が同カーテンにより遮断されるようになっている。
【００３８】
エアカーテン装置４０は、二階部分１５の部屋内の空気を取り込んでその取り込み空気を吹出エアとして吹き出すことでエアカーテンを形成するエア吹出部と、エア吹出部より吹き出された吹出エアを吸い込んで二階部屋内に排出する（戻す）エア吸込部とを備える。具体的には、エアカーテン装置４０は、エア吹き出し側の構成として、エアカーテン吹出グリル４１と、吹出ファン４２と、吸気グリル４３とを備える。ここで、吹出ファン４２が作動すると、二階部屋内の空気が吸気グリル４３より吸い込まれ、その後ダクト４４を介してエアカーテン吹出グリル４１に供給され同グリル４１より吹出エアとして吹き出される。これにより、エアカーテンが形成される。
【００３９】
一方、エアカーテン装置４０は、エア吸い込み側の構成として、エアカーテン吸込グリル４６と、吸込ファン４７と、排気グリル４８とを備える。ここで、吸込ファン４７が作動すると、エアカーテン吹出グリル４１より吹き出された吹出エアがエアカーテン吸込グリル４６より吸い込まれ、その後ダクト４９を通じて排気グリル４８に供給され同グリル４８より二階部屋内に排出される。したがって、エアカーテンの形成に用いられる二階部屋内の空気は循環するようになっている。
【００４０】
続いて、エアカーテン装置４０について図２を用いてより詳細に説明する。なお、図２は、吹き抜け空間１８における建物本体吹き抜け部１８ａと屋根吹き抜け部１８ｂとの境界部を示す平面略図である。
【００４１】
図２に示すように、吹き抜け空間１８は、平面視において略矩形形状の開口を有している。エアカーテン吹出グリル４１及びエアカーテン吸込グリル４６は吹き抜け空間１８における各吹き抜け部１８ａ，１８ｂの境界部において同空間１８を挟んだ両側に対向配置されており、各グリル４１，４６はそれぞれ吹き抜け空間１８の周縁部に沿って水平方向に延びる長尺状をなしている。エアカーテン吹出グリル４１にはエアを吹き出すための複数の吹出口（図示略）が横並びに設けられている。この吹出口がエア吹出口に相当するものである。それに対して、エアカーテン吸込グリル４６には上記吹出口より吹き出された吹出エアを吸い込むための複数の吸込口５１（図３参照）が横並びに設けられている。
【００４２】
次に、エアカーテン吸込グリル４６の構成を図３に基づいて説明する。図３は、エアカーテン吸込グリル４６の構成を示す図であり、（ａ）が同構成を示す正面図、（ｂ）が断面図である。また、図３（ｂ）は、図３（ａ）のＡ−Ａ線断面図である。
【００４３】
図３（ａ）及び（ｂ）に示すように、エアカーテン吸込グリル４６は、四角管状に形成されたダクト部材により形成されており、その一側面には同グリル４６の内外を連通する上記吸込口５１が形成されている。吸込口５１は、矩形形状をなしており、エアカーテン吸込グリル４６の長手方向に沿って所定間隔で複数設けられている。ここで、エアカーテン吸込グリル４６においてかかる吸込口５１が形成されている側面部４６ａは傾斜面となっており、具体的にはエアカーテンを形成する吹出エアが流れる側に向かって上方傾斜している。なお、図示は省略するが、エアカーテン吹出グリル４１についても、エアカーテン吸込グリル４６と概ね同様の構成となっており、矩形形状の吹出口がエアカーテン吹出グリル４１の長手方向に沿って所定の間隔（詳しくは吸込口５１と同間隔）で複数形成されている。
【００４４】
エアカーテン吸込グリル４６に設けられた複数の吸込口５１のうち一部の吸込口５１には、当該吸込口５１を開閉する開閉板５２が設けられている。本実施形態では、開閉板５２が、複数の吸込口５１においてひとつおきに設けられている。開閉板５２は、吸込口５１を塞ぐことが可能な大きさを有する矩形板状に形成されている。開閉板５２は、エアカーテン吸込グリル４６に回動可能に取り付けられており、回動することにより吸込口５１を開閉する構成となっている。したがって、本エアカーテン吸込グリル４６では、各開閉板５２を開状態とすることによりすべての吸込口５１が開放される全開放状態と、各開閉板５２を閉状態とすることにより一部の吸込口５１だけが開放される一部開放状態とに切り替え可能となっている。ここで、開閉板５２により開閉される吸込口５１について、開閉板５２が開状態にある場合には同吸込口５１からの吹出エアの吸い込みが許容される一方、開閉板５２が閉状態にある場合には同吸込口５１からの吹出エアの吸い込みが禁止される。また、開閉板５２により吸込口５１が閉鎖されている状態では、開閉板５２がエアカーテン吸込グリル４６の側面部４６ａと重なり合い、同側面部４６ａに沿って上方傾斜された状態となる。
【００４５】
なお、開閉板５２は、必ずしも複数の吸込口５１においてひとつおきに配置する必要はなく、例えば複数の吸込口５１のうち、エアカーテン吸込グリル４６において長手方向の一方側に設けられた半分の吸込口５１に開閉板５２を配置する等、その配置の仕方は任意としてよい。また、開閉板５２は必ずしも複数の吸込口５１のうち半分に設ける必要はなく、複数の吸込口５１のうち１／３に設ける等その設置割合は任意としてよい。
【００４６】
また、エアカーテン吸込グリル４６には、これら各開閉板５２を開閉駆動する開閉駆動部５５が設けられている。開閉駆動部５５は、例えばモータ等の電動式の駆動機構よりなる。具体的には、開閉駆動部５５による開駆動時には各開閉板５２のすべてが開状態（すなわち吸込口５１の全開放状態）となり、開閉駆動部５５による閉駆動時には各開閉板５２のすべてが閉状態（すなわち吸込口５１の一部開放状態）となる。
【００４７】
ここで、開閉駆動部５５により各開閉板５２を閉状態とすることで一部の吸込口５１を閉鎖した状態（つまり吸込口５１の一部開放状態）において、エアカーテン装置４０によりエアカーテンを形成する場合の作用について説明する。図４は、かかる作用を説明するための説明図である。なおここでは、トップライト２７が開かれて開口部２６が開放され、その開放状態でシーリングファン２９の駆動により屋根吹き抜け部１８ｂにおいて上向きの流れ（ひいては開口部２６へ向けた流れ）が生じていることを前提として説明を行う。
【００４８】
図４に示すように、吸込口５１の一部開放状態では、開閉板５２により閉鎖されている吸込口５１では吹出エアの吸い込みが遮断されている。この場合、エアカーテン吹出グリル４１の各吹出口より吹き出される吹出エアのうち、かかる閉鎖状態にある吸込口５１（換言すると開閉板５２）に向かって吹き出される吹出エアについてはエアカーテンを形成した後、開閉板５２に当たって、屋根吹き抜け部１８ｂに生じている上向きの流れにより同吹き抜け部１８ｂに引き込まれる。具体的には、かかる吹出エアは開閉板５２の板面（傾斜面）に沿って上方に流れ、屋根吹き抜け部１８ｂに引き込まれることとなる。よって、この場合、二階部屋内の空気を取り込んでエアカーテン吹出グリル４１より吹出エアとして吹き出される同エアの一部だけがエアカーテン吸込グリル４６に吸い込まれ、同グリル４６に吸い込まれなかった残りのエアについては屋根吹き抜け部１８ｂに導かれその後開口部２６より屋外に排出される。したがって、吸込口５１の一部開放状態においてエアカーテンを形成する場合には、当該エアカーテンにより建物本体吹き抜け部１８ａと屋根吹き抜け部１８ｂとが遮断されているにもかかわらず、二階部屋内の空気を屋根吹き抜け部１８ｂを通じて屋外に排出することが可能となる。
【００４９】
図１の説明に戻り、建物１０におけるその他の構成として、吹き抜け空間１８において建物本体吹き抜け部１８ａには第１吹き抜け部温センサ５８が設けられ、屋根吹き抜け部１８ｂには第２吹き抜け部温センサ５９が設けられている。第１吹き抜け部温センサ５８は建物本体吹き抜け部１８ａの温度を検知するセンサであり、例えば同吹き抜け部１８ａにおいて二階部分１５に設けられている。また、第２吹き抜け部温センサ５９は、屋根吹き抜け部１８ｂの温度を検知するセンサである。なおここで、第１吹き抜け部温センサ５８が屋内温検出手段に相当するものであり、各温度センサ５８，５９により温度検出手段が構成されている。
【００５０】
次に、空調システムの電気的構成について図５に基づいて説明する。
【００５１】
図５に示すように、建物１０には、コントローラ５０が設けられている。コントローラ５０は、ＣＰＵ等を周知のマイクロコンピュータを主体に構成されており、例えば建物１０内の内壁面に設置されている。
【００５２】
コントローラ５０には、各空調装置３１，３６から空調実施情報が逐次入力される。具体的には、空調実施情報として、空調装置３１，３６が運転しているか否かに関する運転実施情報、空調装置３１，３６が冷房運転及び暖房運転のいずれの運転を実施しているかに関する冷暖房情報、空調装置３１，３６の冷房設定温度及び暖房設定温度に関する設定温度情報等がコントローラ５０に入力される。
【００５３】
コントローラ５０の入力側には、第１吹き抜け部温センサ５８及び第２吹き抜け部温センサ５９が接続されている。コントローラ５０には、これら各センサ５８，５９から逐次検知結果が入力される。
【００５４】
コントローラ５０の出力側には、トップライト駆動部２８、シーリングファン２９、エアカーテン装置４０（具体的には、吹出ファン４２及び吸込ファン４７）及び開閉駆動部５５が接続されている。コントローラ５０は、各空調装置３１，３６からの空調実施情報、各温度センサ５８，５９からの検知結果に基づいて、これら各装置２８，２９，４０，５５を駆動制御する。
【００５５】
次に、コントローラ５０によって実行される空調制御処理について図６に基づいて説明する。図６は空調制御処理を示すフローチャートである。なお、本処理は所定の周期で繰り返し実行される。
【００５６】
図６に示すように、まずステップＳ１１において、空調装置３１，３６（詳しくはいずれかの空調装置３１，３６）が運転しているか否かを判定する。空調装置３１，３６が運転していない場合には本処理を終了する。空調装置３１，３６が運転している場合にはステップＳ１２に進む。
【００５７】
ステップＳ１２では空調装置３１，３６が冷房運転及び暖房運転のいずれを行っているかを判定する。空調装置３１，３６が冷房運転を行っている場合にはステップＳ１３に進み、冷房時処理を実行し、空調装置３１，３６が暖房運転を行っている場合にはステップＳ１４に進み、暖房時処理を実行する。ステップＳ１３の冷房時処理又はステップＳ１４の暖房時処理を実行した後、本処理を終了する。
【００５８】
続いて、冷房時処理及び暖房時処理について図７及び図８に基づいて説明する。なお、図７は冷房時処理を示すフローチャートであり、図８は暖房時処理を示すフローチャートである。まず、冷房時処理について説明する。
【００５９】
図７に示すように、まずステップＳ２１において、第１吹き抜け部温センサ５８の検知結果及び空調装置３１，３６からの設定温度情報（詳しくは冷房設定温度情報）に基づいて、建物本体吹き抜け部１８ａの温度が空調装置３１，３６の冷房設定温度（例えば２８℃）よりも高い状態が所定時間以上継続しているか否かを判定する。ここで、所定時間は、（例えば３２℃の条件下で）空調装置３１，３６により冷房運転を開始してから建物本体吹き抜け部１８ａの温度が冷房設定温度に達するのに必要十分な時間に設定されており、例えば１時間に設定されている。建物本体吹き抜け部１８ａの温度が空調装置３１，３６の冷房設定温度以下である場合には、ステップＳ２２に進む。
【００６０】
ステップＳ２２では、開閉駆動部５５に開信号を出力し、エアカーテン吸込グリル４６の各開閉板５２を開状態とする。これにより、すべての吸込口５１が開放された全開放状態となる。
【００６１】
続くステップＳ２３では、エアカーテン形成処理を行う。本処理では、エアカーテン装置４０に駆動信号を出力することで、同装置４０により吹き抜け空間１８においてエアカーテンを形成する。これにより、建物本体吹き抜け部１８ａと屋根吹き抜け部１８ｂとの間の空気の流通がエアカーテンにより遮断される。そのため、建物本体吹き抜け部１８ａ側の冷気が屋根吹き抜け部１８ｂに流れ込むのを抑制できるとともに、屋根吹き抜け部１８ｂにこもった熱気が建物本体吹き抜け部１８ａに流れ込むのを抑制できる。
【００６２】
一方、ステップＳ２１において建物本体吹き抜け部１８ａの温度が空調装置３１，３６の冷房設定温度よりも高い場合には、ステップＳ２４に進む。ステップＳ２４では、開閉駆動部５５に閉信号を出力し、エアカーテン吹出グリル４１の各開閉板５２を閉状態とする。これにより、一部の吸込口５１だけが開放される一部開放状態となる。
【００６３】
続く、ステップＳ２５では、エアカーテン形成処理を行う。この処理はステップＳ２３と同様の処理であるため、処理の説明については割愛する。本ステップでは、上記ステップＳ２３とは異なり、エアカーテン形成処理が吸込口５１の一部開放状態において行われる。この場合、二階部屋内の空気を取り込んでエアカーテン吹出グリル４１より吹き出された吹出エアの一部が屋根吹き抜け部１８ｂに流れ込み、その後開口部２６を通じて屋外に排出されることなる。したがって、建物本体吹き抜け部１８ａの温度が空調装置３１，３６の冷房設定温度までなかなか下がり切らない場合、すなわち同吹き抜け部１８ａひいては二階部屋内に熱がこもっている場合には、二階部屋内の空気を屋根吹き抜け部１８ｂに導いて開口部２６より屋外に排出することができる。なお、詳細には、かかる作用効果は後述するステップＳ２６，Ｓ２７の各処理が実行されていることが前提となって奏するものである。
【００６４】
ステップＳ２６では、トップライト駆動部２８に開信号を出力してトップライト２７を開状態とする。これにより、開口部２６が開放される。続くステップＳ２７では、シーリングファン２９に駆動信号を出力し、同ファン２９により屋根吹き抜け部１８ｂにおいて上向きの気流を生じさせる。これにより、エアカーテンにより建物本体吹き抜け部１８ａの空気を屋根吹き抜け部１８ｂに引き込むのを抑制しつつ、屋根吹き抜け部１８ｂの空気を開口部２６を通じて屋外に排出でき、ひいては同吹き抜け部１８ｂにこもった熱を屋外に排出できる。その後、本処理を終了する。
【００６５】
次に、暖房時処理について図８に基づいて説明する。
【００６６】
図８に示すように、まずステップＳ３１において、トップライト駆動部２８に閉信号を出力してトップライト２７を閉状態とする。これにより、開口部２６が閉鎖される。したがって、屋根吹き抜け部１８ｂにこもる熱を同吹き抜け部１８ｂにおいて保持させることができる。
【００６７】
ステップＳ３２では、第１吹き抜け部温センサ５８及び第２吹き抜け部温センサ５９の検知結果に基づいて、屋根吹き抜け部１８ｂの温度が建物本体吹き抜け部１８ａの温度よりも高いか否かを判定する。屋根吹き抜け部１８ｂの温度が建物本体吹き抜け部１８ａの温度以下である場合には、ステップＳ３３に進む。
【００６８】
ステップＳ３３では、開閉駆動部５５を駆動させることで、エアカーテン吸込グリル４６の各開閉板５２を開状態とし、すべての吸込口５１が開放された全開放状態とする。次のステップＳ３４では、エアカーテンの形成処理を行う。これにより、吹き抜け空間１８においてエアカーテンが形成される。なお、この処理は、上述した図７のステップＳ２３と同じ処理であるため、ここではその説明を割愛する。続くステップＳ３５では、シーリングファン２９に対する駆動信号の出力を停止し、吹き抜け空間１８において気流を生じさせるのを停止する。その後、本処理を終了する。
【００６９】
一方、先のステップＳ３２において屋根吹き抜け部１８ｂの温度が建物本体吹き抜け部１８ａの温度よりも高い場合にはステップＳ３６に進む。ステップＳ３６では、エアカーテン形成処理を停止する。ここでは、エアカーテン装置４０に対する駆動信号の出力を停止して、吹出ファン４２及び吸込ファン４７の駆動を停止させる。この場合、エアカーテンが形成されないため、吹き抜け空間１８において建物本体吹き抜け部１８ａと屋根吹き抜け部１８ｂとの間で空気の流通が可能となる。
【００７０】
ステップＳ３７ではシーリングファン２９に駆動信号を出力し、同ファン２９により吹き抜け空間１８において下向きの空気の流れを生じさせる。これにより、屋根吹き抜け部１８ｂに熱がこもった場合には、その熱を建物本体吹き抜け部１８ａに流れ込ませることができる。その後、本処理を終了する。
【００７１】
以上、詳述した本実施形態の構成によれば、以下の優れた効果が得られる。
【００７２】
建物本体１２において吹き抜け空間１８を含む屋内空間の空調を行う空調装置３１，３６と、屋根部１３において吹き抜け空間１８を屋外と連通させる開口部２６に設けられ、その開口部２６を開閉するトップライト２７と、吹き抜け空間１８において屋根部１３の下面側に設けられ、吹き抜け空間１８において開口部２６に向かう空気の流れを生じさせるシーリングファン２９と、吹き抜け空間１８において屋根部１３の直下であってシーリングファン２９を含む空間部である屋根吹き抜け部１８ｂと、その下方であって空調装置３１，３６から空調空気が吹き出される空間部である建物本体吹き抜け部１８ａとの間で空気が流通するのを遮断するエアカーテン装置４０とを備える構成とした。そして、空調装置３１，３６により冷房空調が実施されている状態において、エアカーテン装置４０による空気流通の遮断を行うよう制御した。この場合、吹き抜け空間１８において本来冷房したい建物本体吹き抜け部１８ａのみを対象とした冷房が可能となるとともに、屋根吹き抜け部１８ｂにこもった熱が建物本体吹き抜け部１８ａに流れ込むのを抑制できる。そして、かかるエアカーテン装置４０による遮断状態において、開口部２６を開放するようトップライト２７を制御するとともに、その開放した開口部２６へ向かう空気の流れを屋根吹き抜け部１８ｂにおいて生じさせるようシーリングファン２９を制御した。この場合、建物本体吹き抜け部１８ａの空気（冷気）が屋根吹き抜け部１８ｂに引き込まれるのを抑制しつつ、屋根吹き抜け部１８ｂの熱を開口部２６より排出できる。そのため、屋根吹き抜け部１８ｂにこもる熱により建物本体吹き抜け部１８ａの冷房効率が悪化することを抑制できる。よって、この場合、建物本体吹き抜け部１８ａについて効率よく冷房することができる。
【００７３】
また、エアカーテン装置４０により建物本体吹き抜け部１８ａと屋根吹き抜け部１８ｂとの境界部に吹出エアを吹き出してエアカーテンを形成することで、それら各吹き抜け部１８ａ，１８ｂ間の空気の流通を遮断するようにした。この場合、建物本体吹き抜け部１８ａと屋根吹き抜け部１８ｂとを仕切部材等により仕切ることでそれら両吹き抜け部１８ａ，１８ｂの間の通気を遮断する構成とは異なり、吹き抜け空間１８における開放感を確保しつつ、かつ、トップライト２７を通じた吹き抜け空間１８への採光性を確保しつつ上記の効果を得ることができる。
【００７４】
エアカーテン吹出グリル４１の吹出口から吹き出された吹出エアの少なくとも一部を屋根吹き抜け部１８ｂに導くようにした。この場合、屋根吹き抜け部１８ｂに吹出エアが導入されることにより屋根吹き抜け部１８ｂの圧力が上昇し、その圧力上昇により同吹き抜け部１８ｂ内の空気について屋外への排出が促される。この場合、空調空気が吹き出される建物本体吹き抜け部１８ａ内の冷気の逃げ出しを抑制しつつも、屋根吹き抜け部１８ｂ内のこもり熱を早期に排出できる。
【００７５】
吹出エアの少なくとも一部を屋根吹き抜け部１８ｂに導くための構成（導き手段の構成）として具体的には、一部の吸込口５１に同吸込口５１を開閉する開閉板５２を設け、この開閉板５２を閉状態として同吸込口５１を閉鎖することで同吸込口５１からの吹出エアの吸い込みを遮断するとともに、当該吸い込みが遮断された吹出エアをシーリングファン２９により生じる開口部２６へ向かう空気の流れにより屋根吹き抜け部１８ｂに導くようにした。この場合、比較的簡素な構成で、吹出エアを屋根吹き抜け部１８ｂに導くことができる。
【００７６】
より詳しくは、吹出エアの吹き出し先の側に向かって上方傾斜するように傾斜板部としての開閉板５２を設け、この開閉板５２に沿って吹出エアを屋根吹き抜け部１８ｂに導くようにした。これにより、吹出エアをより確実に屋根吹き抜け部１８ｂに導くことができる。なお、傾斜板部は必ずしも開閉板５２により構成する必要はなく、専用の傾斜板部を別途設けてもよい。
【００７７】
エアカーテン装置４０を、建物１０内において二階部屋内から取り込んだ空気を吹出口から吹出エアとして吹き出すことでエアカーテンを形成する構成とした。そして、吹出エア（の一部）を屋根吹き抜け部１８ｂに導く第１状態（吸込口５１の一部開放状態）と、吹出エアを屋根吹き抜け部１８ｂに導かずに二階部屋内に戻す第２状態（吸込口５１の全開放状態）とに切り替え可能とした。この場合、第１状態では、屋根吹き抜け部１８ｂに吹出エアが導かれ、これにより同吹き抜け部１８ｂ内の空気の排出、ひいては同吹き抜け部１８ｂ内のこもり熱の排出が促される。それに対して、第２状態では、建物１０内において二階部屋内換言すると空調装置３１，３６からの空調空気により空調がなされている空間において、同空間内での空気の循環が促され、効率のよい空調が実施できる。このとき、吹出エアが屋根吹き抜け部１８ｂに導かれないことは、冷房中の空気が屋根吹き抜け部１８ｂに漏れ出ることを抑制する上で有効である。
【００７８】
第１吹き抜け部温センサ５８により検知された建物本体吹き抜け部１８ａの温度（ひいては二階部屋の温度）が空調装置３１，３６の冷房設定温度よりも高いか否かに基づいて、換言すると空調装置３１，３６からの空調空気により冷房が行われている冷房実施空間の温度が冷房設定温度よりも高いか否かに基づいて、第１状態と第２状態との切替を実施するようにした。具体的には、二階部屋の温度が空調装置３１，３６の冷房設定温度よりも高い場合、すなわち二階部屋が目標温度まで下がり切っていない場合には第１状態とした。この場合、二階部屋内の熱を含んだ空気が屋根吹き抜け部１８ｂに導かれるため、二階部屋の冷房効率を高めることができる。また、二階部屋の温度が空調装置３１，３６の冷房設定温度以下である場合、すなわち二階部屋が目標温度まで下がっている場合には第２状態とした。この場合、二階部屋の冷気が屋根吹き抜け部１８ｂに漏れ出るのを防止できるため、冷房効率の低下を回避できる。よって、この場合、冷房効率の観点からすると好ましい構成といえる。
【００７９】
より詳しくは、第１吹き抜け部温センサ５８により検知された建物本体吹き抜け部１８ａの温度（ひいては二階部屋の温度）が空調装置３１，３６の冷房設定温度よりも高い状態が所定時間以上継続した場合に、第１状態への切替を行うようにした。二階部屋の例えば天井付近に熱がこもった場合には、空調装置３１，３６により冷房を行っても二階部屋がなかなか冷えないことが想定される。この点、かかる構成とすれば、二階部屋の例えば天井付近に熱こもりが生じた場合にはその熱を屋根吹き抜け部１８ｂに導くことができるため、好適な冷房が可能となる。
【００８０】
また、エアカーテン装置４０について、エアカーテン吹出グリル４１の吹出口から吹出エアとして吹き出すための空気の取り込み先を二階部分１５の天井付近（具体的には吸気グリル４３）とした。二階部屋における熱気はその天井付近に滞留し易いため、この場合二階部屋の熱気を好適に取り込むことができ、ひいては二階部屋の熱気を効率よく屋外に排出できる。
【００８１】
空調装置３１，３６により暖房空調が行われている暖房空調状態において、エアカーテン装置４０による空気流通の遮断を実施するよう制御する一方、開口部２６を閉鎖するようトップライト２７を制御するとともに、シーリングファン２９の作動を停止するよう制御した。この場合、吹き抜け空間１８において空調装置３１，３６により暖められた建物本体吹き抜け部１８ａの空気（暖気）が屋根吹き抜け部１８ｂに流れ込むのを抑制できるため、建物本体吹き抜け部１８ａを効率よく暖房することができる。また、かかる暖房空調状態では、トップライト２７により開口部２６が閉鎖されるとともにシーリングファン２９が停止されるため、屋根吹き抜け部１８ｂにこもる熱を同吹き抜け部１８ｂにおいて保持させることができる。そのため、かかる熱による建物本体吹き抜け部１８ａの暖房効果の向上が期待できる。
【００８２】
また、かかる暖房空調状態において、第２吹き抜け部温センサ５９により検知された屋根吹き抜け部１８ｂの温度が、第１吹き抜け部温センサ５８により検知された建物本体吹き抜け部１８ａの温度よりも高い場合には、エアカーテン装置４０による遮断を行わないよう制御し、屋根吹き抜け部１８ｂから建物本体吹き抜け部１８ａに向かう空気の流れを生じさせるようシーリングファン２９を制御した。これにより、日射熱等により屋根吹き抜け部１８ｂに熱がたまった場合には、その熱を建物本体吹き抜け部１８ａの方に引き込んで同吹き抜け部１８ａを暖めるために利用することができる。よって、この場合暖房効率の向上を図ることができる。なお、この場合、屋根吹き抜け部１８ｂの熱は建物本体吹き抜け部１８ａにおいて二階部分１５のみならず一階部分１４まで導かれる。
【００８３】
〔第２の実施形態〕
本実施形態では、上記エアカーテン装置４０に加え、建物本体吹き抜け部１８ａにおいて一階部分１４と二階部分１５との間を遮断するためのエアカーテン装置をさらに設けている。以下、本実施形態の構成について第１の実施形態との相違点を中心に説明する。なお、図９は本実施形態における建物全体を示す概略図である。
【００８４】
図９に示すように、本実施形態の建物６０には、二階部分１５のガラス戸２４を開閉駆動するガラス戸駆動部６１が設けられている。窓駆動手段としてのガラス戸駆動部６１は、例えば電動モータ等の電動式の駆動機構からなる。
【００８５】
建物１０の階間部分１７には、エアカーテン装置７０が設けられている。エアカーテン装置７０は、建物本体吹き抜け部１８ａにおいて一階部分１４と二階部分１５との境界部に沿ってエアカーテンを形成するための装置であり、上記境界部において吹き抜け空間１８（詳しくは吹き抜け開口部１９）を横切るように水平方向にエアカーテンを形成する。エアカーテン装置７０によりエアカーテンが形成されることにより、建物本体吹き抜け部１８ａにおいて一階部分１４の空間と二階部分１５の空間との間の空気の流通が同カーテンにより遮断される。
【００８６】
エアカーテン装置７０は上記エアカーテン装置４０と基本的に同様の構成を有しており、エア吹き出し側の構成としてエアカーテン吹出グリル７１、吹出ファン７２及び吸気グリル７３を備え、エア吸い込み側の構成としてエアカーテン吸込グリル７６、吸込ファン７７及び排気グリル７８を備えている。ここで、吹出ファン７２が作動すると、一階部分１４の部屋内の空気が吸気グリル７３より吸い込まれ、その後ダクト７４を介してエアカーテン吹出グリル７１に供給され同グリル７１より吹出エアとして吹き出される。これにより、エアカーテンが形成される。また、吸込ファン７７が作動すると、エアカーテン吹出グリル７１より吹き出された吹出エアがエアカーテン吸込グリル７６より吸い込まれ、その後ダクト７９を通じて排気グリル７８に供給され同グリル７８より一階部屋内に排出される。
【００８７】
次に、本実施形態における空調システムの電気的構成について図１０に基づいて説明する。なおここでは、第１の実施形態における電気的構成と異なる点を中心に説明する。
【００８８】
図１０に示すように、コントローラ５０の出力側には、エアカーテン装置７０（具体的には吹出ファン７２及び吸込ファン７７）が接続されている。また、コントローラ５０の出力側には、ガラス戸駆動部６１が接続されている。コントローラ５０は、各空調装置３１，３６からの空調実施情報や、第１吹き抜け部温センサ５８及び第２吹き抜け部温センサ５９からの検知結果に基づいて、トップライト駆動部２８、シーリングファン２９、各エアカーテン装置４０，７０及びガラス戸駆動部６１を駆動制御する。
【００８９】
次に、コントローラ５０により実行される空調制御処理について説明する。本実施形態では、空調制御処理における冷房時の制御に特徴を有しており、そのためここではかかる冷房時処理について図１１を用いて説明する。つまり、本実施形態では、第１の実施形態における空調制御処理（図６）において、ステップＳ１３の冷房時処理（図７）に代えて、図１１に示す冷房時処理を行うこととしている。
【００９０】
図１１に示すように、まずステップＳ５１では、一階用及び二階用の両空調装置３１，３６が運転しているか否かを判定する。両空調装置３１，３６のうちいずれかのみが運転している場合、すなわち一階部分１４及び二階部分１５のうちいずれかにおいてのみ冷房が行われている場合にはステップＳ５２に進み、第２エアカーテン形成処理を行う。本処理では、エアカーテン装置７０に駆動信号を出力することで、同装置７０により建物本体吹き抜け部１８ａにおいて一階部分１４と二階部分１５との境界部にエアカーテンを形成する。これにより、建物本体吹き抜け部１８ａにおいて一階部分１４の空間と二階部分１５の空間との間で空気の流通が遮断される。そのため、建物本体吹き抜け部１８ａ（吹き抜け開口部１９）を通じて冷房が行われている階から冷房が行われていない階へ冷気が流れ出す（換言すると、冷房が行われていない階から冷房が行われている階に熱気が流れ込む）のを抑制できる。
【００９１】
ステップＳ５３では、冷房運転中の空調装置３１，３６が一階用の空調装置３１であるか否かを判定する。冷房運転中の空調装置３１，３６が一階用の空調装置３１である場合、すなわち一階部分１４でのみ冷房が行われている場合にはステップＳ５４に進み、第１エアカーテン形成処理の停止を行う。この停止処理は、上記第１実施形態の暖房時処理におけるエアカーテン形成処理の停止（図８のステップＳ３６）と同じ処理であるため、ここではその説明を割愛する。これにより、吹き抜け空間１８において建物本体吹き抜け部１８ａと屋根吹き抜け部１８ｂとの間における空気の流通が許容される。
【００９２】
ステップＳ５５では、トップライト駆動部２８に開信号を出力してトップライト２７を開状態とする。これにより、開口部２６が開放される。次のステップＳ５６では、ガラス戸駆動部６１に開信号を出力して二階部分１５のガラス戸２４を開状態とする。これにより、窓部２３が開放される。続くステップＳ５７ではシーリングファン２９に駆動信号を出力して同ファン２９により吹き抜け空間１８において上向きの流れを生じさせる。これにより、吹き抜け空間１８を通じて窓部２３を吸気口、開口部２６を排気口とした通気が行われる。具体的には、二階部分１５の窓部２３から取り込まれた屋外の空気が二階部分１５の部屋を通って建物本体吹き抜け部１８ａに流れ込み、その後屋根吹き抜け部１８ｂを通って開口部２６より屋外に排出される。この場合、冷房が行われていない建物本体吹き抜け部１８ａの二階部分１５にこもる熱を屋外に排出できる。
【００９３】
先のステップＳ５１において一階用及び二階用の両空調装置３１，３６が運転している場合、すなわち一階部分１４及び二階部分１５の両方で冷房が行われている場合には、ステップＳ５８に進んで第２エアカーテン形成処理を停止する。ここでは、エアカーテン装置７０に対する駆動信号の出力を停止することで、吹出ファン７２及び吸込ファン７７の駆動を停止させる。この場合、エアカーテンが形成されないため、建物本体吹き抜け部１８ａにおいて一階部分１４の空間と二階部分１５の空間との間で空気の流通が許容される。なお、本ステップＳ５８では必ずしもエアカーテン形成処理を停止する必要はなく、同形成処理を実施してもよい。その後、ステップＳ５９に進む。
【００９４】
また、先のステップＳ５３において運転中の空調装置３１，３６が二階用である場合、すなわち二階部分１５でのみ冷房が行われている場合にもステップＳ５９に進む。ステップＳ５９では、第１エアカーテン形成処理を行う。本処理は、上記第１の実施形態におけるエアカーテン形成処理（図７のステップＳ２３）と同じ処理であり、ここではその説明を割愛する。つまり、少なくとも二階部分１５において冷房が行われている場合には、吹き抜け空間１８において建物本体吹き抜け部１８ａと屋根吹き抜け部１８ｂとの間がエアカーテンにより遮断される。なお、本実施形態では、エアカーテン吸込グリル４６の各吸込口５１が常時、全開放状態とされていることを前提とする。
【００９５】
ステップＳ６０では、トップライト駆動部２８に開信号を出力しトップライト２７を開状態とする。これにより、開口部２６が開放される。ステップＳ６１では、ガラス戸駆動部６１に閉信号を出力して二階部分１５のガラス戸２４を閉状態とする。これにより、窓部２３が閉鎖される。ステップＳ６２では、シーリングファン２９を駆動させ、吹き抜け空間１８において上向きの流れを生じさせる。これにより、屋根吹き抜け部１８ｂにこもった熱が開口部２６より屋外に排出される。その後、本処理を終了する。
【００９６】
以上、詳述した本実施形態の構成によれば、以下の優れた効果が得られる。
【００９７】
空調装置として、一階部分１４の空調を行う空調装置３１と、二階部分１５の空調を行う空調装置３６とを設けた。また、エアカーテン装置４０に加え、吹き抜け空間１８において一階部分１４と二階部分１５との間で空気が流通するのを遮断するエアカーテン装置７０を設け、さらに、二階部分１５の窓部２３を開閉するガラス戸２４と、ガラス戸２４を開閉駆動するガラス戸駆動部６１とを設けた。そして、一階部分１４の空調装置３１及び二階部分１５の空調装置３６のうちいずれか一方だけが運転している場合、すなわち一階部分１４及び二階部分１５のうちいずれかでのみ冷房が行われている場合には、エアカーテン装置７０による空気流通の遮断を行うようにした。これにより、冷房が行われている階のみを対象とした冷房が可能となるため、冷房効率の向上を図ることができる。
【００９８】
また、一階部分１４の空調装置３１により冷房が行われ、かつ二階部分１５の空調装置３６により冷房が行われていない場合には、エアカーテン装置４０による空気流通の遮断を実施せず、エアカーテン装置７０による空気流通の遮断を実施するよう制御した。これにより、吹き抜け空間１８において本来冷房したい一階部分１４のみを対象とした冷房を実施できるとともに、吹き抜け空間１８の二階部分１５に熱がこもった場合でもその熱が一階部分１４に流れ込むのを抑制できる。また、かかる場合には、二階部分１５において冷房が実施されていないため、さらに開口部２６を開放し且つその開放した開口部２６へ向かう空気の流れを吹き抜け空間１８において生じさせるようトップライト２７及びシーリングファン２９を制御するとともに、窓部２３を開放させるようガラス戸２４を制御するようにした。この場合、二階部分１５の窓部２３を吸気口、開口部２６を排気口とした通気が建物１０内において行われる。具体的には、窓部２３から取り込まれた屋外の空気が二階部分１５を通って建物本体吹き抜け部１８ａ（詳しくはその二階部分１５）に流れ込み、その後屋根吹き抜け部１８ｂを通じて開口部２６から排出される。これにより、吹き抜け空間１８の二階部分１５にこもった熱を屋外に好適に排出できるため、吹き抜け空間１８の一階部分１４を効率よく冷房することができる。
【００９９】
〔他の実施形態〕
本発明は上記実施形態に限らず、例えば次のように実施されてもよい。
【０１００】
（１）上記各実施形態では、吹き抜け空間１８において建物本体吹き抜け部１８ａと屋根吹き抜け部１８ｂとの間の空気の流通を遮断する遮断手段（第１遮断手段）としてエアカーテン装置４０を設けたが、遮断手段の構成は必ずしもこれに限定されない。例えば、遮断手段として、建物本体吹き抜け部１８ａと屋根吹き抜け部１８ｂとを仕切る板状の仕切部材を設け、かかる仕切部材により各吹き抜け部１８ａ，１８ｂを仕切る遮断状態と、各吹き抜け部１８ａ，１８ｂを仕切らない非遮断状態とに切り替えられるようにしてもよい。かかる仕切部材としては、例えば複数の可動スラットを有してなるルーバパネルが考えられ、この場合各スラットを開閉することで遮断状態と非遮断状態とに切り替えることができる。なお、仕切部材は透明の材料により形成することが好ましい。そうすれば、仕切部材により吹き抜け空間１８を遮断する構成において、採光性を確保できるとともに同空間１８における開放感を確保することもできる。
【０１０１】
また、上記第２実施形態におけるエアカーテン装置７０（第２遮断手段）についても同様に、同装置７０に代えて仕切部材を第２遮断手段として設けてもよい。
【０１０２】
（２）上記各実施形態では、エアカーテン吸込グリル４６の各吸込口５１の一部を開閉板５２により閉鎖することで、エアカーテン吹出グリル４１より吹き出された吹出エアの一部を屋根吹き抜け部１８ｂにおいて生じている上向きの気流（開口部２６へ向かう気流）によって同吹き抜け部１８ｂに導くようにしたが、吹出エアの一部を屋根吹き抜け部１８ｂに導くための構成は必ずしもこれに限らない。例えば、ダクト４９の途中から分岐して屋根吹き抜け部１８ｂに通じる分岐ダクトを設けるとともに、エアカーテン吸込グリル４６より吸い込まれた吹出エアをダクト４９を通じて排気グリル４８より排出するか、分岐ダクトを通じて屋根吹き抜け部１８ｂに排出するかを切り替える切替手段（例えば切替バルブ）を設けることが考えられる。これによっても、切替手段により吹出エアの排出先を屋根吹き抜け部１８ｂ側に切り替えることで、吹出エアを屋根吹き抜け部１８ｂに導くことが可能である。
【０１０３】
（３）開閉板５２は、その閉鎖状態において必ずしも傾斜した向きで設けられる必要はなく、縦向き（鉛直向き）で設けられてもよい。要するに、開閉板５２により吸込口５１が閉鎖できればよく、そうすれば、吸込口５１からの吸い込みが遮断された形成後エアが屋根吹き抜け部１８ｂにおける上向き気流によって同吹き抜け部１８ｂに導かれる。
【０１０４】
（４）上記各実施形態では、吸込口５１をエアカーテン吸込グリル４６の長手方向に沿って複数設けたが、これを変更してもよい。例えば、吸込口５１をエアカーテン吸込グリル４６の長手方向に延びる長孔により形成し、かかる長孔からなる吸込口をひとつだけ設けるようにしてもよい。この場合、開閉板としては、吸込口における長手方向の一部（例えば半分）の領域を開閉対象として開閉を行うものを設ければよい。
【０１０５】
また、上記実施形態では、エアカーテン吸込グリル４６に設けられた複数の吸込口５１のうち一部の吸込口５１にのみ開閉板５２を設けたが、すべての吸込口５１に開閉板５２を設けてもよい。この場合、開閉板５２の閉状態では、形成後エアのすべてが屋根吹き抜け部１８ｂに導かれることとなる。
【０１０６】
（５）上記各実施形態では、エアカーテン装置４０を、建物１０内の二階部屋内から取り込んだ空気をエアカーテン吹出グリル４１から吹出エアとして吹き出してエアカーテンを形成するとともに、同グリル４１より吹き出された吹出エアをエアカーテン吸込グリル４６より吸い込んで二階部屋に排出する構成とした。すなわち、エアカーテン装置４０において吹出エアの元となる空気の取り込み先、及び、吹出エアを排出する排出先をそれぞれ建物１０内としたが、これを変更してもよい。例えば、エアカーテン装置４０における空気の取り込み先及び吹出エアの排出先をそれぞれ屋外としてもよい。この場合、エアカーテン吹出グリル４１より吹き出された吹出エアを導き手段により常時屋根吹き抜け部１８ｂ側に導くようにしてもよい。
【０１０７】
また、エアカーテン装置４０に、エアカーテン吹出グリル４１より吹き出される吹出エアを吸い込むためのエア吸込部（エアカーテン吸込グリル４６、吸込ファン４７及び排気グリル４８）を設けない構成としてもよい。この場合、エアカーテン吹出グリル４１より吹き出された吹出エアは屋根吹き抜け部１８ｂの側壁面に当たり、その後その一部が屋根吹き抜け部１８ｂに導かれることとなる。
【０１０８】
（６）上記第１の実施形態では、温度検出手段の一部を構成する第１吹き抜け部温センサ５８を屋内温検出手段に兼用する構成としたが、屋内温検出手段を第１吹き抜け部温センサ５８とは別に設けてもよい。この場合、屋内温検出手段を、例えば吹き抜け空間１８以外の屋内空間に設けることが考えられる。また、屋内温検出手段を、二階部屋の天井面に設けてもよい。この場合、二階部屋において熱がこもり易い天井付近の温度を好適に検出できるため、こもり熱の有無を把握し易い。
【０１０９】
（７）上記第１の実施形態では、建物本体吹き抜け部１８ａの温度が空調装置３１，３６の冷房設定温度よりも高い状態が所定時間以上継続した場合（図７のステップＳ２１においてＹＥＳ判定した場合）に、一部の吸込口５１を開閉板５２により閉鎖、すなわち吸込口５１を一部開放状態（図７のステップＳ２４）としたが、これを変更してもよい。例えば、建物本体吹き抜け部１８ａの温度が空調装置３１，３６の冷房設定温度よりも高い場合に、吸込口５１を一部開放状態としてもよい。また、建物本体吹き抜け部１８ａの温度が空調装置３１，３６の冷房設定温度よりも所定温度α以上高い場合に、吸込口５１を一部開放状態としてもよい。これらの場合においても、建物本体吹き抜け部１８ａにおける熱を含んだ空気を屋根吹き抜け部１８ｂに排出できるため、冷房負荷の低減を図ることができる。
【０１１０】
（８）上記各実施形態では、空調装置３１，３６が冷房運転中である場合（図６においてステップＳ１１でＹＥＳ判定かつステップＳ１２で冷房判定の場合）に冷房時処理（図６のステップＳ１３）を行うこととしたが、これを変更してもよい。例えば、空調装置３１，３６が冷房運転中であり、かつ、第２吹き抜け部温センサ５９により検知された屋根吹き抜け部１８ｂの温度が第１吹き抜け部温センサ５８により検知された建物本体吹き抜け部１８ａの温度よりも高い場合に、冷房時処理を行うようにしてもよい。この場合、屋根吹き抜け部１８ｂに熱がこもっていない場合には冷房時処理が行われないため、エアカーテン装置４０、シーリングファン２９等の装置の駆動が停止される。そのため、省エネを図ることが可能となる。
【０１１１】
（９）上記第２実施形態において、空調装置３１，３６による運転が実施されていない場合において、第２吹き抜け部温センサ５９により検知された屋根吹き抜け部１８ｂの温度が所定温度（例えば３８℃）以上になった場合に、エアカーテン装置４０による空気流通の遮断を実施しないように制御する。そして、かかる遮断を実施しない状態において、開口部２６を開放するようトップライト２７を制御するとともに、その開放した開口部２６に向けた空気の流れを吹き抜け空間１８において生じさせるようシーリングファン２９を制御するようにしてもよい。これにより、建物１０内において冷房を実施していない場合に、屋根吹き抜け部１８ｂにこもった熱のみならず建物本体吹き抜け部１８ａ（ひいては一階部屋や二階部屋）にこもった熱を屋外に排出することができる。
【０１１２】
また、かかる構成において、二階部分１５のガラス戸２４を開閉駆動するガラス戸駆動部６１に加えて、一階部分１４のガラス戸２２を開閉駆動するガラス戸駆動部を設けるとともに、屋外の温度を一階高さと二階高さとでそれぞれ検知する外気温センサを設けてもよい。そして、外気温センサによる検知結果に基づいて、外気温が一階高さ及び二階高さのうちいずれの方が低いかを判定し、低いと判定された階のガラス戸２２，２４を開くようガラス戸駆動部を制御してもよい。そうすれば、より低い温度の外気を窓部２３，２５より取り込み、同空気を屋根吹き抜け部１８ｂを通じて開口部２６より屋外に排出できる。この場合、屋根吹き抜け部１８ｂ及び建物本体吹き抜け部１８ａにこもった熱の排出を促進させることができる。
【０１１３】
（１０）上記各実施形態では、二階建ての建物１０に形成された吹き抜け空間１８に本発明を適用したが、平屋建ての建物や、三階以上からなる建物に形成された吹き抜け空間に対し本発明を適用してもよい。また、上記実施形態の建物１０において吹き抜け空間を建物本体１２の二階部分１５と屋根部１３とに跨るように形成し（換言すると建物本体１２において一階部分１４には吹き抜け空間を形成しない構成）、かかる吹き抜け空間に本発明を適用してもよい。要するに、建物本体内に、屋根部まで延びる屋内高さで形成された吹き抜け空間であれば本発明を適用できる。
【符号の説明】
【０１１４】
１０…建物、１２…建物本体、１３…屋根部、１４…下階部としての一階部分、１５…上階部としての二階部分、１８…吹き抜け空間、１８ａ…下側空間部としての建物本体吹き抜け部、１８ｂ…上側空間部としての屋根吹き抜け部、２３…上階窓部としての窓部、２４…窓開閉手段としてのガラス戸、２６…開口部、２７…開閉手段としてのトップライト、２９…気流発生手段としてのシーリングファン、３１…下階空調装置としての空調装置、３６…上階空調装置としての空調装置、４０…遮断手段、第１遮断手段及びエアカーテン形成手段としてのエアカーテン装置、５０…遮断制御手段、気流制御手段及び切替制御手段としてのコントローラ、５８…屋内温検出手段としての第１吹き抜け部温センサ、６１…窓駆動手段としてのガラス戸駆動部、７０…第２遮断手段としてのエアカーテン装置。
【図１】
2012247101.tif 000003
【図２】
2012247101.tif 000004
【図３】
2012247101.tif 000005
【図４】
2012247101.tif 000006
【図５】
2012247101.tif 000007
【図６】
2012247101.tif 000008
【図７】
2012247101.tif 000009
【図８】
2012247101.tif 000010
【図９】
2012247101.tif 000011
【図１０】
2012247101.tif 000012
【図１１】
2012247101.tif 000013